(57)【要約】【課題】ディスプレイ間におけるアイコンまたはウィンドウの移動を、容易な操作でおこなうこと。【解決手段】マルチディスプレイ・システムにおいて、第１ディスプレイ表示制御部５０１が、メインディスプレイ１０１の表示画面上に、サブディスプレイ１０２の表示画面に表示されているスクリーンショットを表示し、操作指示受付部５０３が、メインディスプレイ１０１の表示画面上に表示されているアイコンまたはウィンドウを、スクリーンショットが表示されている表示領域内にドラッグ・アンド・ドロップ操作する指示を受け付け、第２ディスプレイ表示制御部５０２が、操作指示がなされたアイコンまたはウィンドウを、サブディスプレイ１０２の表示画面に移動させて表示する。【選択図】図５
2019020595.tif 000002
【特許請求の範囲】
【請求項１】
第１のディスプレイと、当該第１のディスプレイの表示内容とは異なる内容を表示することが可能な第２のディスプレイとが、有線または無線によって接続されたコンピュータに、
前記第１のディスプレイの表示画面上に、前記第２のディスプレイの表示画面に表示されている第２画面表示内容を表示し、
前記第１のディスプレイの表示画面上に表示されているアイコンまたはウィンドウを、前記第２画面表示内容が表示されている表示領域内に移動させ、当該表示領域内における移動先を決定する操作指示を受け付け、
前記操作指示がなされたアイコンまたはウィンドウを、前記第２のディスプレイの表示画面に表示する、
処理を実行させることを特徴とする表示制御プログラム。
【請求項２】
前記操作指示に基づいて、前記第１のディスプレイの表示画面上に表示されている前記第２画面表示内容を非表示にする、
処理を実行させることを特徴とする請求項１に記載の表示制御プログラム。
【請求項３】
前記第１のディスプレイの表示画面上に、前記第１のディスプレイの表示画面に表示されている第１画面表示内容と前記第２画面表示内容とを並べて表示することを特徴とする請求項１または２に記載の表示制御プログラム。
【請求項４】
前記第１のディスプレイの表示画面上に表示される前記第１画面表示内容の表示領域と前記第２画面表示内容の表示領域を変更する操作指示を受け付け、
受け付けられた操作指示に基づいて、前記第１画面表示内容の表示領域と前記第２画面表示内容の表示領域を変更する、
処理を実行することを特徴とする請求項３に記載の表示制御プログラム。
【請求項５】
前記第１のディスプレイの表示画面上にスクロールバーを表示し、当該スクロールバーの操作指示に基づいて、前記第１画面表示内容の表示領域と前記第２画面表示内容の表示領域を変更することを特徴とする請求項４に記載の表示制御プログラム。
【請求項６】
前記第１画面表示内容と前記第２画面表示内容を、１つのウィンドウで表示することを特徴とする請求項３〜５のいずれか一つに記載の表示制御プログラム。
【請求項７】
前記第２画面表示内容は、前記第２のディスプレイの表示画面に表示されているサイズを縮小した画像であることを特徴とする請求項１〜６のいずれか一つに記載の表示制御プログラム。
【請求項８】
前記第２画面表示内容は、前記第２ディスプレイの表示画面のスクリーンショットであることを特徴とする請求項１〜７のいずれか一つに記載の表示制御プログラム。
【請求項９】
前記第１のディスプレイは、タッチパネルディスプレイであることを特徴とする請求項１〜９のいずれか一つに記載の表示制御プログラム。
【請求項１０】
第１のディスプレイと、当該第１のディスプレイの表示内容とは異なる内容を表示することが可能な第２のディスプレイとが、有線または無線によって接続されたコンピュータが、
前記第１のディスプレイの表示画面上に、前記第２のディスプレイの表示画面に表示されている第２画面表示内容を表示し、
前記第１のディスプレイの表示画面上に表示されているアイコンまたはウィンドウを、前記第２画面表示内容が表示されている表示領域内に移動させ、当該表示領域内における移動先を決定する操作指示を受け付け、
前記操作指示がなされたアイコンまたはウィンドウを、前記第２のディスプレイの表示画面に表示する、
処理を実行することを特徴とする表示制御方法。
【請求項１１】
第１のディスプレイと、当該第１のディスプレイの表示内容とは異なる内容を表示することが可能な第２のディスプレイとが、有線または無線によって接続された表示制御装置であって、
前記第１のディスプレイの表示画面上に、前記第２のディスプレイの表示画面に表示されている第２画面表示内容を表示し、
前記第１のディスプレイの表示画面上に表示されているアイコンまたはウィンドウを、前記第２画面表示内容が表示されている表示領域内に移動させ、当該表示領域内における移動先を決定する操作指示を受け付け、
前記操作指示がなされたアイコンまたはウィンドウを、前記第２のディスプレイの表示画面に表示する、
制御部を有することを特徴とする表示制御装置。
【発明の詳細な説明】
【技術分野】
【０００１】
本発明は、表示制御プログラム、表示制御方法および表示制御装置に関する。
【背景技術】
【０００２】
従来から、マルチディスプレイ・システムにおいて、ディスプレイ間で一方のディスプレイに表示されているアイコンやウィンドウを他方のディスプレイに移動させて表示したい場合がある。その場合に、各種の移動操作の手順が存在する。その際、通常、操作者は双方のディスプレイを確認しながらディスプレイ間を跨いだ操作をおこなう。
【０００３】
関連する先行技術としては、マルチディスプレイ機能を備え、複数の画面を縮小し、メイン画面を邪魔することなく同じメインディスプレイに表示させて、任意の縮小画面をマウスのドラッグ・アンド・ドロップ操作によりサブディスプレイに拡大表示する技術がある（たとえば、下記特許文献１を参照。）。
【０００４】
また、関連する先行技術としては、マルチディスプレイでの医療レポート作成において、ドラッグ・アンド・ドロップを作成画面を表示しておこない、任意の文字列に参照コンテンツ表示用のリンク付けをおこなう技術がある（たとえば、下記特許文献２を参照。）。
【先行技術文献】
【特許文献】
【０００５】
【特許文献１】特開２００４−２２７３６７号公報
【特許文献２】特開２００５−３０１４５３号公報
【発明の概要】
【発明が解決しようとする課題】
【０００６】
しかしながら、従来技術では、双方のディスプレイが並んで配置されていない場合などにおいて、移動元と移動先の双方のディスプレイを確認しながらディスプレイ間を跨いだ操作ができなかったり、当該操作が煩雑になったりするという問題点がある。
【０００７】
一つの側面では、本発明は、ディスプレイ間におけるアイコンまたはウィンドウの移動を、容易な操作でおこなうことを目的とする。
【課題を解決するための手段】
【０００８】
１つの実施態様では、第１のディスプレイと、当該第１のディスプレイの表示内容とは異なる内容を表示することが可能な第２のディスプレイとが、有線または無線によって接続されたコンピュータに、前記第１のディスプレイの表示画面上に、前記第２のディスプレイの表示画面に表示されている第２画面表示内容を表示し、前記第１のディスプレイの表示画面上に表示されているアイコンまたはウィンドウを、前記第２画面表示内容が表示されている表示領域内に移動させ、当該表示領域内における移動先を決定する操作指示を受け付け、前記操作指示がなされたアイコンまたはウィンドウを、前記第２のディスプレイの表示画面に表示する表示制御プログラム、表示制御方法および表示制御装置が提供される。
【発明の効果】
【０００９】
本発明の一側面によれば、ディスプレイ間におけるアイコンまたはウィンドウの移動を、容易な操作でおこなうことができる。
【図面の簡単な説明】
【００１０】
【図１】図１は、マルチディスプレイ・システムの活用例である窓口業務の概要を示す説明図である。
【図２】図２は、マルチディスプレイ・システムの活用例であるプレゼンテーション業務の概要を示す説明図である。
【図３】図３は、実施の形態にかかる表示制御プログラム、表示制御方法および表示制御装置を実現するマルチディスプレイ・システムの全体構成の一例を示す説明図である。
【図４】図４は、情報処理装置のハードウェア構成の一例を示すブロック図である。
【図５】図５は、実施の形態にかかる表示制御装置の機能的構成の一例を示すブロック図である。
【図６】図６は、実施の形態にかかる表示制御方法の処理の手順の一例を示すフローチャートである。
【図７Ａ】図７Ａは、実施例１にかかる第１ディスプレイ（メインディスプレイ）の表示画面の表示内容の一例（その１）を示す説明図である。
【図７Ｂ】図７Ｂは、実施例１にかかる第２ディスプレイ（サブディスプレイ）の表示画面の表示内容の一例（その１）を示す説明図である。
【図８】図８は、実施例１にかかる第１ディスプレイの表示画面の表示内容の一例（その２）を示す説明図である。
【図９】図９は、実施例１にかかる第１ディスプレイの表示画面の表示内容の一例（その３）を示す説明図である。
【図１０】図１０は、実施例１にかかる第１ディスプレイの表示画面の表示内容の一例（その４）を示す説明図である。
【図１１Ａ】図１１Ａは、実施例１にかかる第１ディスプレイの表示画面の表示内容の一例（その５）を示す説明図である。
【図１１Ｂ】図１１Ｂは、実施例１にかかる第２ディスプレイの表示画面の表示内容の一例（その２）を示す説明図である。
【図１２】図１２は、実施例２にかかる第１ディスプレイの表示画面の表示内容の一例（その１）を示す説明図である。
【図１３】図１３は、実施例２にかかる第１ディスプレイの表示画面の表示内容の一例（その２）を示す説明図である。
【図１４】図１４は、実施例２にかかる第１ディスプレイの表示画面の表示内容の一例（その３）を示す説明図である。
【図１５】図１５は、実施例２にかかる第２ディスプレイの表示画面の表示内容の一例を示す説明図である。
【図１６】図１６は、実施例３にかかる第１ディスプレイの表示画面の表示内容の一例（その１）を示す説明図である。
【図１７】図１７は、実施例３にかかる第１ディスプレイの表示画面の表示内容の一例（その２）を示す説明図である。
【図１８】図１８は、実施例３にかかる第１ディスプレイの表示画面の表示内容の一例（その３）を示す説明図である。
【発明を実施するための形態】
【００１１】
以下に図面を参照して、本発明にかかる表示制御プログラム、表示制御方法および表示制御装置の実施の形態を詳細に説明する。
【００１２】
（実施の形態）
（マルチディスプレイ・システムの概要）
まずは、マルチディスプレイ・システムの概要について、２つの活用例を用いて説明する。図１は、マルチディスプレイ・システムの活用例である窓口業務の概要を示す説明図である。マルチディスプレイ・システムは、担当者が顧客と対面形式で対応する際に用いることができる。
【００１３】
図１において、担当者が用いる第１ディスプレイ（担当者用メインディスプレイ）１０１と顧客が用いる第２ディスプレイ（顧客用サブディスプレイ）１０２ａとから構成される。図１においては、第２ディスプレイ１０２ａは１つだけ設けられているが、第２ディスプレイ１０２ａの台数は、１台に限定されるものではなく、たとえば顧客の人数にあわせて、人数分の台数を設けるようにしてもよい。複数が設けられた第２ディスプレイ１０２ａは、それぞれに同じ表示内容を表示するようにしてもよく、また、それぞれに異なる内容を表示するようにしてもよい。
【００１４】
たとえば銀行の窓口業務などの担当者が顧客と対面形式で対応する場合に、担当者は、第１ディスプレイ１０１を見ながら、顧客に説明をおこない、必要に応じて、第１ディスプレイ１０１の所定の入力欄への入力操作などをおこなう。また、顧客は、貸与された第２ディスプレイ１０２ａを見ながら、担当者からの説明を受け、必要に応じて、第２ディスプレイ１０２ａの入力欄への入力操作をおこなったりする。
【００１５】
第１ディスプレイ１０１は、マルチディスプレイ・システムにおける主となるメインディスプレイであり、担当者が操作することによって、その表示内容を変更することができる。第１ディスプレイ１０１の操作は、ディスプレイの表示画面を指などの直接タッチするタッチパネル式であってもよく、また、図示を省略するキーボードやマウスなどを用いて操作するようにしてもよい。
【００１６】
一方、第２ディスプレイ１０２ａは、マルチディスプレイ・システムにおける従となるサブディスプレイであり、顧客が見やすかったり、操作しやすかったりするように、タッチパネル式のタブレット端末型のディスプレイであってもよい。
【００１７】
担当者と顧客は、互いに、それぞれのディスプレイを見ながら商談などの交渉をおこなう際、対面形式で対応し、顧客に見せることが好ましくないバックデータなども表示する。そのため、第１ディスプレイ１０１の表示画面が顧客には見えないように配置するとよい。また、担当者が、第２ディスプレイ１０２ａの表示内容についても制御することができる。
【００１８】
具体的には、担当者は、たとえば、第１ディスプレイ１０１にのみ表示されている内容を、第２ディスプレイ１０２ａに表示させて、顧客に見せたりする操作をすることができる。また、担当者は、第１ディスプレイ１０１から第２ディスプレイ１０２ａへのファイルやフォルダなどのデータの移動などの操作をすることができる。
【００１９】
つぎに、マルチディスプレイ・システムの２つ目の活用例を用いて説明する。図２は、マルチディスプレイ・システムの別の活用例であるプレゼンテーション業務の概要を示す説明図である。２つ目の活用例として、マルチディスプレイ・システムは、プレゼンターが聴衆に対して実施するプレゼンテーションにおいて用いられるようにしてもよい。
【００２０】
図２において、演台上に設けられるプレゼンターが用いる第１ディスプレイ（プレゼンター用メインディスプレイ）１０１と、聴衆に提示する第２ディスプレイ（聴衆用プロジェクター）１０２ｂとから構成される。第２ディスプレイ１０２ｂは、プロジェクターの代わりに、大型の液晶ディスプレイや、大型の有機ＥＬ（Ｅｌｅｃｔｒｏｌｕｍｉｎｅｓｃｅｎｃｅ）ディスプレイなどであってもよい。
【００２１】
図２においては、第２ディスプレイ１０２ｂは、プロジェクターが１台だけ設けられているが、第２ディスプレイ（プロジェクター）１０２ｂの台数は、１つには限定されるものではなく、複数台が設けられていてもよい。
【００２２】
複数台が設けられた第２ディスプレイ１０２ｂは、それぞれ同じ表示内容を表示するようにしてもよく、また、第２ディスプレイ１０２ｂごとに異なる内容を表示するようにしてもよい。また、図示は省略するが、個々の聴衆に対して、各座席付近に、それぞれ個別のディスプレイ（液晶ディスプレイなど）を設けるようにしてもよい。
【００２３】
第１ディスプレイ１０１は、マルチディスプレイ・システムにおける主となるメインディスプレイであり、プレゼンターが操作することによって、その表示内容を変更することができる。第１ディスプレイ１０１の操作は、ディスプレイの表示画面を指などの直接タッチするタッチパネル式であってもよく、また、図示を省略するキーボードやマウスなどを用いて操作するようにしてもよい。
【００２４】
プレゼンターは、第１ディスプレイ１０１と、第２のディスプレイ（プロジェクター）１０２ｂを見ながらプレゼンテーションをおこなう。その際、第１ディスプレイ１０１には、聴衆には見せない発言原稿などのバックデータを表示するため、第１ディスプレイ１０１の表示画面が顧客には見えないように配置するとよい。また、担当者が、第２ディスプレイ１０２ｂの表示内容についても制御して、プレゼンテーションを効果的に演出することができる。
【００２５】
具体的には、プレゼンターは、たとえば、第１ディスプレイ１０１にのみ表示されている内容を、第２ディスプレイ１０２ｂに表示させて、聴衆に見せたりする操作をすることができる。また、プレゼンターは、第１ディスプレイ１０１から第２ディスプレイ１０２ｂへのデータの移動などの操作をすることができる。
【００２６】
（マルチディスプレイ・システムのシステム構成例）
図３は、実施の形態にかかる表示制御プログラム、表示制御方法および表示制御装置を実現するマルチディスプレイ・システムの全体構成の一例を示す説明図である。
【００２７】
図３において、マルチディスプレイ・システムは、情報処理装置３０１と、複数のディスプレイ１０１、１０２（１０２ａ、１０２ｂ）と、を含む構成である。
【００２８】
マルチディスプレイ・システムにおいて、情報処理装置３０１と、複数のディスプレイ（第１ディスプレイ１０１、第２ディスプレイ１０２ａ、１０２ｂ）とは、有線または無線のネットワーク３００を介して接続される。ネットワーク３００は、たとえば、インターネット、移動体通信網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などであってもよい。
【００２９】
また、情報処理装置３０１と、複数のディスプレイ１０１、１０２ａ、１０２ｂとは、ケーブルを用いて、あるいは、Ｗｉ-Ｆｉ、Ｂｌｕｅｔｏｏｔｈ（登録商標）などの無線通信を用いて、接続するようにしてもよい。また、複数のディスプレイ１０１、１０２ａ、１０２ｂは、クラウド・コンピューティング・サービスによって、図示を省略する外部の情報処理装置と接続されていてもよい。その場合、外部の情報処理装置が、情報処理装置３０１の処理を実行する。
【００３０】
情報処理装置３０１は、マルチディスプレイ・システムの全体の制御を司るとともに、各オペレータ端末装置１０３との通信をおこない、データベース内の検索処理を含む、各種情報処理をおこなう。情報処理装置３０１は、具体的には、たとえば、パーソナル・コンピュータ、サーバ、ワークステーションなどのコンピュータによってその機能を実現することができる。
【００３１】
（情報処理装置３０１のハードウェア構成例）
図４は、情報処理装置３０１のハードウェア構成の一例を示すブロック図である。図４において、情報処理装置３０１は、ＣＰＵ（Ｃｅｎｔｒａｌ  Ｐｒｏｃｅｓｓｉｎｇ  Ｕｎｉｔ）４０１と、メモリ４０２と、入力装置４０３と、Ｉ／Ｆ（Ｉｎｔｅｒｆａｃｅ）４０４と、を有する。また、各構成部４０１〜４０４は、バス４００によってそれぞれ接続される。
【００３２】
ここで、ＣＰＵ４０１は、情報処理装置３０１の全体の制御を司る。メモリ４０２は、たとえば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、たとえば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００３３】
たとえば、ＣＰＵ４０１は、たとえば、ＯＳ（Ｏｐｅｒａｔｉｎｇ  Ｓｙｓｔｅｍ）、と、プロシージャ（ｐｒｏｃｅｄｕｒｅ）や、仮想モニタ・アプリケーションなどのプログラムとを連動させて用いることで、表示制御装置である情報処理装置３０１の機能を実現する。
【００３４】
より具体的には、たとえば、マイクロソフト社のＷｉｎｄｏｗｓ  ＯＳを用いる場合には、「ＷｉｎＰｒｏｃ（ＷＭ＿ＧＥＳＴＵＲＥ  ＷＭ＿ＤＲＯＰＦＩＬＥ）」などのプロシージャを用いることができる。また、たとえば、グーグル社のＡｎｄｒｏｉｄ  ＯＳを用いる場合には、「ＯｎＧｅｓｔｕｒｅＬｉｓｔｅｎｅｒ」などのプログラムを用いることができる。
【００３５】
入力装置４０３は、文字、数字、各種指示などの入力のためのキーを有し、データの入力をおこなう。入力装置４０３は、ディスプレイに直接触れるタッチパネル式の入力装置であってもよい。これにより、画面を見ながら直感的な操作をおこなうことができる。また、入力装置４０３は、キーボードやポインティングデバイス（マウスやジョイスティック）などであってもよい。また、入力装置４０３は、タッチパネル式の入力パッドやテンキーなどであってもよい。これにより、文字などをキー入力だけでなく、手書き入力をすることができる。
【００３６】
Ｉ／Ｆ４０４は、通信回線を通じてネットワーク３００に接続され、ネットワーク３００を介して他の装置に接続される。そして、Ｉ／Ｆ４０４は、ネットワーク３００と自装置内部とのインターフェースを司り、他の装置からのデータの入出力を制御する。Ｉ／Ｆ３００には、たとえば、モデムやＬＡＮアダプタなどを採用することができる。なお、情報処理装置３０１は、上述した構成部のほかに、ＨＤＤ（Ｈａｒｄ  Ｄｉｓｋ  Ｄｒｉｖｅ）、ＳＳＤなどを有することにしてもよい。
【００３７】
第１ディスプレイ１０１、第２ディスプレイ１０２は、カーソル、アイコン、ウィンドウあるいはツールボックスをはじめ、文書、画像、機能情報などのデータを表示する。ここで、アイコンは、ファイルやフォルダ、あるいは、各種の機能を画像で象徴的に表したものである。そして、第１ディスプレイ１０１、第２ディスプレイ１０２は、タッチパネル機能を備えており、操作者によってアイコンが指定（クリックやタップなど）されることによって、ファイルやフォルダを選択することができたり、各種の機能を実行することができる。
【００３８】
第１ディスプレイ１０１、第２ディスプレイ１０２は、たとえば、液晶ディスプレイ、有機ＥＬディスプレイなどを採用することができる。また、第１ディスプレイ１０１、第２ディスプレイ１０２は、画像を投影するプロジェクターであってもよく、また、ヘッドマウントディスプレイなどであってもよい。
【００３９】
（表示制御装置の機能的構成）
図５は、実施の形態にかかる表示制御装置の機能的構成の一例を示す説明図である。図５において、表示制御装置は、第１ディスプレイ表示制御部５０１と、第２ディスプレイ表示制御部５０２と、操作指示受付部５０３と、を含む構成である。
【００４０】
第１ディスプレイ表示制御部５０１は、第１ディスプレイ１０１の表示画面に各種情報を表示する。第１ディスプレイ表示制御部５０１は、具体的には、たとえば、図４に示したメモリ４０２などの記憶装置に記憶されたプログラムをＣＰＵ４０１に実行させることにより、その機能を実現する。
【００４１】
第２ディスプレイ表示制御部５０２は、第２ディスプレイ１０２の表示画面に各種情報を表示する。第２ディスプレイ表示制御部５０２は、具体的には、たとえば、図４に示したメモリ４０２などの記憶装置に記憶されたプログラムをＣＰＵ４０１に実行させることにより、その機能を実現する。
【００４２】
操作指示受付部５０３は、操作者によりおこなわれた各種操作指示を受け付ける。操作指示受付部５０３は、具体的には、たとえば、図４に示した入力装置４０３により、その機能を実現する。
【００４３】
操作指示受付部５０３は、第２ディスプレイ１０２の表示画面に表示されている第２画面表示内容を第１ディスプレイ１０１の表示画面上に表示する表示指示を受け付ける。具体的には、たとえば、第１ディスプレイ１０１の表示画面において、あらかじめ定められた位置（領域）におけるダブルタップ操作を検知したり、あるいは、一定時間、あらかじめ定められた同じ位置（領域）がタップ状態となっていることを検知したりすることによって、第２画面表示内容の表示指示を受け付けることができる。
【００４４】
第１ディスプレイ表示制御部５０１は、操作指示受付部５０３がこの表示指示を受け付けた場合に、第２画面表示内容を第１ディスプレイ１０１の表示画面上に表示する。第２画面表示内容は、第２ディスプレイ１０２の表示画面のスクリーンショットであってもよい。また、第２画面表示内容は、第２ディスプレイ１０２の表示画面に表示されているサイズと略等倍の画像（たとえば、後述する図９の第２画面表示内容９００）であってもよく、あるいは、第２ディスプレイ１０２の表示画面に表示されているサイズを縮小した画像（たとえば、後述する図１３の第２画面表示内容１３００）であってもよい。
【００４５】
また、第１ディスプレイ表示制御部５０１は、第１ディスプレイ１０１の表示画面上に、第１ディスプレイ１０１の表示画面に表示されている第１画面表示内容を、第２画面表示内容と並べて表示するようにしてもよい。この場合、第１画面表示内容および第２画面表示内容は、それぞれのディスプレイ１０１、１０２の表示画面に表示されているサイズと等倍の画像であってもよく、あるいは、それぞれのディスプレイ１０１、１０２の表示画面に表示されているサイズを縮小した画像であってもよい。
【００４６】
操作指示受付部５０３は、第１ディスプレイ１０１の表示画面上に表示される第１画面表示内容の表示領域と第２画面表示内容の表示領域を変更する操作指示を受け付ける。具体的には、たとえば、第１ディスプレイ表示制御部５０１が、第１ディスプレイ１０１の表示画面上にスクロールバー（たとえば、後述する図１６のスクロールバー１６０３）を表示する。そして、操作指示受付部５０３は、当該スクロールバーの操作指示を受け付ける。
【００４７】
第１ディスプレイ表示制御部５０１は、当該スクロールバーの操作指示に基づいて、第１画面表示内容の表示領域と第２画面表示内容の表示領域を変更して再表示することができる。
【００４８】
また、第１ディスプレイ表示制御部５０１は、第１画面表示内容と第２画面表示内容を、１つのウィンドウ（たとえば、後述する図１３の第２画面表示内容１３００、図１６の第２画面表示内容１６００）で表示するようにしてもよい。
【００４９】
このようにして、第１ディスプレイ表示制御部５０１は、第２画面表示内容のみ（後述する実施例１）、あるいは、第１画面表示内容と第２画面表示内容と（後述する実施例２および実施例３）を第１ディスプレイに表示する。
【００５０】
操作指示受付部５０３は、第１のディスプレイの表示画面上に表示されている所望のアイコンまたはウィンドウを、第２画面表示内容が表示されている表示領域内に移動させ、当該表示領域内における移動先を決定する操作指示を受け付ける。具体的には、所望のアイコンまたはウィンドウのドラッグ、および、第２画面表示内容が表示されている表示領域内においてドロップを検知することによって、この操作指示を受け付けることができる。
【００５１】
第２ディスプレイ表示制御部５０２は、操作指示受付部５０３がこの操作指示を受け付けた場合に、操作指示がなされた所望のアイコンまたはウィンドウを、第２のディスプレイ１０２の表示画面に表示する。これとともに、第１ディスプレイ表示制御部５０１は、操作指示受付部５０３がこの操作指示を受け付けた場合に、第１ディスプレイ１０１の表示画面上に表示されている第２画面表示内容を非表示（消去）にする。
【００５２】
これにより、所望のアイコンまたはウィンドウの第１ディスプレイ１０１から第２ディスプレイ１０２への移動処理が完了する。
【００５３】
（表示制御方法の処理手順）
図６は、実施の形態にかかる表示制御方法の処理の手順の一例を示すフローチャートである。図６のフローチャートにおいて、まず、第２画面表示内容の表示指示があったか否かを判断する（ステップＳ６０１）。第２画面表示内容の具体的な内容および第２画面表示内容の表示指示の具体的な内容については、後述する実施例１〜３において詳細に説明する。
【００５４】
ステップＳ６０１において、表示指示があるのを待って（ステップＳ６０１：Ｎｏ）、表示指示があった場合（ステップＳ６０１：Ｙｅｓ）は、第１ディスプレイ１０１の表示画面上に第２画面表示内容を表示する（ステップＳ６０２）。
【００５５】
ステップＳ６０２において表示された第２画面表示内容に対して、スクロールバーが表示されているか否かを判断する（ステップＳ６０３）。ここで、スクロールバーが表示されていない場合（ステップＳ６０３：Ｎｏ）は、何もせずに、ステップＳ６０６へ移行する。
【００５６】
一方、ステップＳ６０３において、スクロールバーが表示されている場合（ステップＳ６０３：Ｙｅｓ）は、つぎに、スクロールバーの操作指示があったか否かを判断する（ステップＳ６０４）。ここで、スクロールバーの操作指示があった場合（ステップＳ６０４：Ｙｅｓ）は、第２画面表示内容の表示位置を、スクロールバーの操作指示にあわせて変更し（ステップＳ６０５）、ステップＳ６０６へ移行する。スクロールバーの操作指示がなかった場合（ステップＳ６０４：Ｎｏ）は、何もせずに、ステップＳ６０６へ移行する。
【００５７】
つぎに、ステップＳ６０６において、アイコン・ウィンドウがドラッグされ、第２画面表示内容の領域内でドロップされたか否かを判断する（ステップＳ６０６）。ここで、アイコン・ウィンドウがドラッグされ、第２画面表示内容の領域内でドロップされていない場合（ステップＳ６０６：Ｎｏ）は、ステップＳ６０３へ戻る。
【００５８】
一方、ステップＳ６０６において、アイコン・ウィンドウがドラッグされ、第２画面表示内容の領域内でドロップされた場合（ステップＳ６０６：Ｙｅｓ）は、第２ディスプレイ１０２の表示画面にアイコン・ウィンドウを表示し（ステップＳ６０７）、第１ディスプレイ１０１の表示画面上の第２画面表示内容を非表示にして（ステップＳ６０８）、一連の処理を終了する。
【００５９】
このようにして、第１ディスプレイ１０１の表示画面に表示されていたアイコンまたはウィンドウを、第２ディスプレイ１０２へ移動させる処理が完了する。
【００６０】
（実施例）
以下、３つの実施例について、図７Ａ、図７Ｂ、図８〜図１８を用いて説明する。３つの実施例は、実施例１（図７Ａ、図７Ｂ、図８〜図１１Ｂを参照）が、第１ディスプレイ（メインディスプレイ）１０１の表示画面のほぼ全面に、第２ディスプレイ（サブディスプレイ）１０２のスクリーンショット９００を表示する例を示している。
【００６１】
また、実施例２（図１２〜図１５を参照）が、第１ディスプレイ（メインディスプレイ）１０１の表示画面の一部に、縮小した第１ディスプレイ１０１および第２ディスプレイ１０２のスクリーンショット１３００を表示する例を示している。
【００６２】
また、実施例３（図１６〜図１８を参照）が、第１ディスプレイ（メインディスプレイ）１０１の表示画面に、第１ディスプレイ（メインディスプレイ）１０１の表示画面のサイズを超えて、第１ディスプレイ１０１および第２ディスプレイ１０２のスクリーンショット１６００を表示し、スクロール可能とした例を示している。このように、第２画面表示内容の違いによって、それぞれ、処理の内容が異なる。
【００６３】
（実施例１）
まずは、実施例１の内容を、図７Ａ、図７Ｂ、図８〜図１０、図１１Ａ、図１１Ｂを用いて説明する。実施例１では、第１ディスプレイ１０１の表示画面のほぼ全面に、第２ディスプレイ１０２のスクリーンショット９００を表示することが特徴である。図７Ａは、実施例１にかかる第１ディスプレイ（メインディスプレイ）の表示画面の表示内容の一例（その１）を示す説明図である。図７Ａにおいて、第１ディスプレイ（メインディスプレイ）１０１には、２つのアイコン（アイコン「Ａ」７０１、アイコン「Ｂ」７０２）が表示画面の向かって左上側に表示されている。
【００６４】
図７Ｂは、実施例１にかかる第２ディスプレイ（サブディスプレイ）の表示画面の表示内容の一例（その１）を示す説明図である。図７Ｂにおいて、第２ディスプレイ（サブディスプレイ）１０２には、アイコン「Ｃ」７０３と、ウィンドウ「Ｄ」７０４が表示画面の向かって左上側に表示されている。
【００６５】
図８〜図１１Ａは、実施例１にかかる第１ディスプレイの表示画面の表示内容の一例を示す説明図である。また、図１１Ｂは、実施例１にかかる第２ディスプレイ（サブディスプレイ）の表示画面の表示内容の一例（その２）を示す説明図である。操作者は、第１ディスプレイ（メインディスプレイ）１０１の表示画面上に第２画面表示内容を表示するように、その表示指示をおこなう。
【００６６】
図８においては、アイコン「Ｂ」７０２をタップして、表示画面の向かって右中央側にドラッグした状態を示している。ここで、符号７００は、マウスカーソルを示している。この右中央側に、いずれかのアイコンまたはウィンドウをドラッグして移動させる操作が、第２画面表示内容の表示指示となっている。
【００６７】
具体的には、たとえば、操作者の指（またはタッチペンなど）で、タッチパネルのアイコン「Ｂ」７０２が表示されている部分にタッチし、タッチパネルにタッチした状態を保持したまま、その指を表示画面の向かって右中央側まで移動させる。移動させた後も、指をタッチパネルから離さないで、接触させたままにする。
【００６８】
なお、マウスカーソル７００は、表示画面上にあえて表示させなくてもよい。マウスカーソルの代わりにタップしたことがわかる表示をしてもよい。たとえば、タップした位置の周辺の表示画面の色を変化させたり、タップされたアイコンの形状などを変化させるようにしてもよい。
【００６９】
図９は、第１ディスプレイ１０１の表示画面に第２画面表示内容９００を表示した状態を示している。第２画面表示内容９００には、第２ディスプレイ（サブディスプレイ）１０２のスクリーンショットであり、アイコン「Ｃ」７０３およびウィンドウ「Ｄ」７０４の画像であるアイコン画像「Ｃ」９０３およびウィンドウ画像「Ｄ」９０４が、表示画面の向かって左上側に表示されている。
【００７０】
また、ドラッグ中のアイコン「Ｂ」７０２は、第２画面表示内容９００上に表示されている。すなわち、アイコン「Ｂ」７０２は、第１ディスプレイ１０１の表示画面に、第２ディスプレイ１０２のスクリーンショットに重ねて表示されている。マウスカーソル７００は、アイコン「Ｂ」７０２を指し示すことで、当該アイコン「Ｂ」７０２がドラッグ中であることを示すようにしてもよい。
【００７１】
図１０は、ドラッグ中のアイコン「Ｂ」７０２をさらにドラッグさせて、表示画面の中央の下側へ移動させた状態を示している。これは、操作者がアイコン「Ｂ」７０２を第２ディスプレイ１０２の表示画面の中央の下側に移動させたいという意思をもって移動させたものである。したがって、ドラッグ中のアイコン「Ｂ」７０２のドラッグによる移動は、第１ディスプレイ１０１の表示画面、すなわち、第２ディスプレイ（サブディスプレイ）１０２のスクリーンショットが表示されている表示画面上のいずれの場所であってもよい。
【００７２】
そして、操作者は、第１ディスプレイ１０１の表示画面の中央の下側に移動させた時点で、アイコン「Ｂ」７０２をドロップする。すなわち、その時点で、タッチパネルにタッチした指を離すようにする。図１１Ａは、アイコン「Ｂ」７０２をドロップした場合の第１ディスプレイ１０１の表示画面の表示内容を示しており、図１１Ｂは、アイコン「Ｂ」７０２をドロップした場合の第２ディスプレイ１０２の表示画面の表示内容を示している。
【００７３】
図１１Ａに示すように、第１ディスプレイ１０１の表示画面には、第２ディスプレイ（サブディスプレイ）１０２のスクリーンショットが消去される。そして、アイコン「Ａ」７０１のみが表示され、アイコン「Ｂ」７０２は表示されていない。それ以外は、図７Ａに示した第１ディスプレイ１０１の表示画面と同じである。マウスカーソル７００だけが、ドロップした位置に残される。
【００７４】
一方、図１１Ｂに示すように、第２ディスプレイ１０２の表示画面には、アイコン「Ｃ」７０３７、ウィンドウ「Ｄ」７０４のほか、アイコン「Ｂ」７０２が表示される。
【００７５】
第２ディスプレイ１０２の表示画面上において、アイコン「Ｂ」７０２が表示される位置は、第１ディスプレイ１０１の表示画面上において、アイコン「Ｂ」７０２がドロップされた位置である。すなわち、アイコン「Ｂ」７０２がドロップされた位置（座標）を記憶しておき、記憶された位置（座標）に基づいて、第２ディスプレイ１０２の表示画面上にアイコン「Ｂ」７０２を表示するようにする。
【００７６】
このように、第１ディスプレイ１０１の表示画面から第２ディスプレイ１０２の表示画面へと、アイコン「Ｂ」７０２が移動したことがわかる。
【００７７】
（実施例２）
つぎに、実施例２の内容を、図７Ａ、図７Ｂ、図１１Ａ、図１２〜図１５を用いて説明する。実施例２では、第１ディスプレイ１０１の表示画面の一部に、縮小した第１ディスプレイ１０１および第２ディスプレイ１０２のスクリーンショット１３００を表示することが特徴である。
【００７８】
実施例１と同様に、実施例２では、図７Ａにおいて、第１ディスプレイ（メインディスプレイ）１０１には、２つのアイコン（アイコン「Ａ」７０１、アイコン「Ｂ」７０２）が表示画面の向かって左上側に表示されている。また、実施例２では、実施例１と同様に、図７Ｂにおいて、第２ディスプレイ（サブディスプレイ）１０２には、アイコン「Ｃ」７０３と、ウィンドウ「Ｄ」７０４が表示画面の向かって左上側に表示されている。
【００７９】
図１２〜図１４は、実施例２にかかる第１ディスプレイの表示画面の表示内容の一例を示す説明図である。また、図１５は、実施例２にかかる第２ディスプレイの表示画面の表示内容の一例を示す説明図である。
【００８０】
操作者は、第１ディスプレイ（メインディスプレイ）１０１の表示画面上に第２画面表示内容を表示するように、その表示指示をおこなう。表示指示は、図１２に示すように、第１ディスプレイ（メインディスプレイ）１０１の表示画面上をダブルタップ（指先やタッチペンのペン先で素早く軽く２回叩く動作）することによりおこなうことができる。ダブルタップの位置は、第１ディスプレイ１０１の表示画面上のいずれの位置でもよい。また、あらかじめ、ダブルタップが有効となる表示画面上の位置または領域などを決めておいてもよい。図１２においては、ダブルタップされた位置に、マウスカーソル７００を表示している。
【００８１】
図１３は、第１ディスプレイ（メインディスプレイ）１０１の表示画面に第２画面表示内容１３００を、表示画面の向かって右下側に表示した状態を示している。第２画面表示内容１３００は、第１ディスプレイ（メインディスプレイ）１０１のスクリーンショット１３０１と第２ディスプレイ（サブディスプレイ）１０２のスクリーンショット１３０２であり、それらが１つのウィンドウとして表示されている。
【００８２】
第１ディスプレイ１０１のスクリーンショット１３０１には、アイコン「Ａ」７０１およびアイコン「Ｂ」７０２の画像であるアイコン画像「Ａ」１３１１およびアイコン画像「Ｂ」１３１２が、スクリーンショット１３０１の向かって左上側に表示されている。また、第２ディスプレイ１０２のスクリーンショット１３０２には、アイコン「Ｃ」７０３およびウィンドウ「Ｄ」７０４の画像であるアイコン画像「Ｃ」１３１３およびウィンドウ画像「Ｄ」１３１４が、スクリーンショット１３０２の向かって左上側に表示されている。
【００８３】
つぎに、図１４に示すように、アイコン「Ｂ」７０２をタップし、ドラッグさせて、スクリーンショット１３０２の表示領域内へ移動させた状態を示している。これは、操作者がアイコン「Ｂ」７０２を第２ディスプレイ１０２に移動させたいという意思をもって移動させたものである。
【００８４】
そして、操作者は、スクリーンショット１３０２の表示領域内に移動させた時点で、アイコン「Ｂ」７０２をドロップする。すなわち、その時点で、タッチパネルにタッチした指を離すようにする。そうすると、実施例１と同様に、図１１Ａに示したように、第１ディスプレイ１０１の表示画面には、第２ディスプレイ（サブディスプレイ）１０２のスクリーンショットが消去される。そして、アイコン「Ａ」７０１のみが表示され、アイコン「Ｂ」７０２は表示されていない。それ以外は、図７Ａに示した第１ディスプレイ１０１の表示画面と同じである。マウスカーソル７００だけが、ドロップした位置に残される。
【００８５】
図１５は、アイコン「Ｂ」７０２をドロップした場合の第２ディスプレイの表示画面の表示内容を示している。図１５に示すように、第２ディスプレイ１０２の表示画面には、アイコン「Ｃ」７０３、ウィンドウ「Ｄ」７０４のほか、アイコン「Ｂ」７０２が表示される。このように、実施例２と同様に、第１ディスプレイ１０１の表示画面から第２ディスプレイ１０２の表示画面へと、アイコン「Ｂ」７０２が移動したことがわかる。
【００８６】
実施例２では、第１ディスプレイ１０１のスクリーンショット１３０１と第２ディスプレイ１０２のスクリーンショット１３０２とを表示しているが、第１ディスプレイ１０１のスクリーンショット１３０１を表示せずに、第２ディスプレイ１０２のスクリーンショット１３０２のみを表示するようにしてもよい。また、第１ディスプレイ１０１のスクリーンショット１３０１と第２ディスプレイ１０２のスクリーンショット１３０２とを１つのウィンドウとして表示しているが、それぞれのスクリーンショット１３０１、１３０２を別のウィンドウとして表示するようにしてもよい。
【００８７】
（実施例３）
最後に、実施例３の内容を、図７Ａ、図７Ｂ、図１１Ａ、図１２、図１６〜図１８を用いて説明する。実施例３では、第１ディスプレイ１０１の表示画面に、第１ディスプレイ１０１の表示画面のサイズを超えて、第１ディスプレイ１０１および第２ディスプレイ１０２のスクリーンショット１６００を表示し、スクロール可能とすることが特徴である。
【００８８】
実施例１、２と同様に、実施例３においても、図７Ａにおいて、第１ディスプレイ（メインディスプレイ）１０１には、２つのアイコン（アイコン「Ａ」７０１、アイコン「Ｂ」７０２）が表示画面の向かって左上側に表示されている。また、実施例３では、実施例１と同様に、図７Ｂにおいて、第２ディスプレイ（サブディスプレイ）１０２には、アイコン「Ｃ」７０３と、ウィンドウ「Ｄ」７０４が表示画面の向かって左上側に表示されている。
【００８９】
図１６〜図１８は、実施例３にかかる第１ディスプレイの表示画面の表示内容の一例を示す説明図である。操作者は、第１ディスプレイ（メインディスプレイ）１０１の表示画面上に第２画面表示内容を表示するように、その表示指示をおこなう。
【００９０】
表示指示は、実施例２と同様に、図１２に示すように、第１ディスプレイ（メインディスプレイ）１０１の表示画面上をダブルタップ（指先やタッチペンのペン先で素早く軽く２回叩く動作）することによりおこなうことができる。ダブルタップの位置は、第１ディスプレイ１０１の表示画面上のいずれの位置でもよい。また、あらかじめ、ダブルタップが有効となる表示画面上の位置または領域などを決めておいてもよい。図１２において、ダブルタップされた位置に、マウスカーソル７００を表示している。
【００９１】
図１６は、第１ディスプレイ（メインディスプレイ）１０１の表示画面に第２画面表示内容１６００を表示した状態を示している。第２画面表示内容１６００は、図１３に示した、実施例２の第２画面表示内容１３００と同様に、第１ディスプレイ（メインディスプレイ）１０１のスクリーンショット１６０１と第２ディスプレイ（サブディスプレイ）１０２のスクリーンショット１６０２であり、それらが１つのウィンドウとして表示されている。
【００９２】
したがって、第１ディスプレイ１０１のスクリーンショット１６０１には、アイコン「Ａ」７０１およびアイコン「Ｂ」７０２の画像であるアイコン画像「Ａ」１６１１およびアイコン画像「Ｂ」１６１２が、スクリーンショット１６０１の向かって左上側に表示されている。また、第２ディスプレイ１０２のスクリーンショット１６０２には、アイコン「Ｃ」７０３およびウィンドウ「Ｄ」７０４の画像であるアイコン画像「Ｃ」１６１３およびウィンドウ画像「Ｄ」１６１４が、スクリーンショット１６０２の向かって左上側に表示されている。
【００９３】
第２画面表示内容１６００と、実施例２の第２画面表示内容１３００との違いは、実施例２の第２画面表示内容１３００が、縮小画像であるのに対して、第２画面表示内容１６００は縮小していない。したがって、図１６にも示しているように、第２画面表示内容１６００の全体は、第１ディスプレイ１０１の表示画面には一度にすべてを表示することができない。そこで、スクロールバー１６０３を表示して、このスクロールバー１６０３を操作することによって、表示されていない部分を表示させるようにすることができる。
【００９４】
図１７は、スクロールバー１６０３を操作して、スクリーンショット１６０１とスクリーンショット１６０２の表示範囲を変更したものである。図１６では、スクリーンショット１６０１がすべて表示されており、スクリーンショット１６０２は、一部のみ表示されていたが、図１７では、スクリーンショット１６０１の表示領域が減らされ、その分、スクリーンショット１６０２の表示領域が拡大しているのがわかる。このようにして、スクロールバー１６０３を用いることによって、画像自体を縮小することなく、操作者が表示させたり領域を表示させることができる。
【００９５】
つぎに、図１８に示すように、アイコン「Ｂ」７０２をタップし、ドラッグさせて、スクリーンショット１６０２の表示領域内へ移動させた状態を示している。これは、操作者がアイコン「Ｂ」７０２を第２ディスプレイ１０２に移動させたいという意思をもって移動させたものである。
【００９６】
そして、操作者は、スクリーンショット１６０２の表示領域内に移動させた時点で、アイコン「Ｂ」７０２をドロップする。すなわち、その時点で、タッチパネルにタッチした指を離すようにする。そうすると、実施例１、実施例２と同様に、図１１Ａに示したように、第１ディスプレイ１０１の表示画面においては、第２ディスプレイ（サブディスプレイ）１０２のスクリーンショットが消去される。そして、アイコン「Ａ」７０１のみが表示され、アイコン「Ｂ」７０２は表示されていない。それ以外は、図７Ａに示した第１ディスプレイ１０１の表示画面と同じである。マウスカーソル７００だけが、ドロップした位置に残される。
【００９７】
また、第２ディスプレイ１０２の表示画面は、図１５に示したように、アイコン「Ｃ」７０３、ウィンドウ「Ｄ」７０４のほか、アイコン「Ｂ」７０２が表示される。このように、実施例２と同様に、第１ディスプレイ１０１の表示画面から第２ディスプレイ１０２の表示画面へと、アイコン「Ｂ」７０２が移動したことがわかる。
【００９８】
以上説明したように、実施の形態において、モニタ間でアイコンやウィンドウのやり取りをする際に、メインディスプレイだけで操作することができ、ユーザはもう一方のディスプレイに手を触れることなく操作を完了することができる。
【００９９】
また、２名以上のユーザが向かい合って操作をしている等の状況下（ディスプレイ同士が離れている環境下）など、もう一方のディスプレイが容易に操作できない場合に、手元のディスプレイのみで操作を完結することができるため、ストレスなく業務運用が可能となる。このように、ディスプレイ間におけるアイコンまたはウィンドウの移動を、容易な操作でおこなうことができる。
【０１００】
なお、本実施の形態で説明した表示制御方法は、あらかじめ用意されたプログラムをパーソナル・コンピュータやワークステーションなどのコンピュータで実行することにより実現することができる。表示制御プログラムは、ハードディスク、フレキシブルディスク、ＣＤ（Ｃｏｍｐａｃｔ  Ｄｉｓｃ）−ＲＯＭ、ＭＯ（Ｍａｇｎｅｔｏ−Ｏｐｔｉｃａｌ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリなどのコンピュータで読み取り可能な記録媒体に記録され、コンピュータによって記録媒体から読み出されることによって実行される。また、表示制御プログラムは、インターネットなどのネットワークを介して配布してもよい。
【０１０１】
上述した実施の形態に関し、さらに以下の付記を開示する。
【０１０２】
（付記１）第１のディスプレイと、当該第１のディスプレイの表示内容とは異なる内容を表示することが可能な第２のディスプレイとが、有線または無線によって接続されたコンピュータに、
前記第１のディスプレイの表示画面上に、前記第２のディスプレイの表示画面に表示されている第２画面表示内容を表示し、
前記第１のディスプレイの表示画面上に表示されているアイコンまたはウィンドウを、前記第２画面表示内容が表示されている表示領域内に移動させ、当該表示領域内における移動先を決定する操作指示を受け付け、
前記操作指示がなされたアイコンまたはウィンドウを、前記第２のディスプレイの表示画面に表示する、
処理を実行させることを特徴とする表示制御プログラム。
【０１０３】
（付記２）前記操作指示に基づいて、前記第１のディスプレイの表示画面上に表示されている前記第２画面表示内容を非表示にする、
処理を実行させることを特徴とする付記１に記載の表示制御プログラム。
【０１０４】
（付記３）前記第１のディスプレイの表示画面上に、前記第１のディスプレイの表示画面に表示されている第１画面表示内容と前記第２画面表示内容とを並べて表示することを特徴とする付記１または２に記載の表示制御プログラム。
【０１０５】
（付記４）前記第１のディスプレイの表示画面上に表示される前記第１画面表示内容の表示領域と前記第２画面表示内容の表示領域を変更する操作指示を受け付け、
受け付けられた操作指示に基づいて、前記第１画面表示内容の表示領域と前記第２画面表示内容の表示領域を変更する、
処理を実行することを特徴とする付記３に記載の表示制御プログラム。
【０１０６】
（付記５）前記第１のディスプレイの表示画面上にスクロールバーを表示し、当該スクロールバーの操作指示に基づいて、前記第１画面表示内容の表示領域と前記第２画面表示内容の表示領域を変更することを特徴とする付記４に記載の表示制御プログラム。
【０１０７】
（付記６）前記第１画面表示内容と前記第２画面表示内容を、１つのウィンドウで表示することを特徴とする付記３〜５のいずれか一つに記載の表示制御プログラム。
【０１０８】
（付記７）前記第２画面表示内容は、前記第２のディスプレイの表示画面に表示されているサイズを縮小した画像であることを特徴とする付記１〜６のいずれか一つに記載の表示制御プログラム。
【０１０９】
（付記８）前記第２画面表示内容は、前記第２ディスプレイの表示画面のスクリーンショットであることを特徴とする付記１〜７のいずれか一つに記載の表示制御プログラム。
【０１１０】
（付記９）前記第１のディスプレイは、タッチパネルディスプレイであることを特徴とする付記１〜８のいずれか一つに記載の表示制御プログラム。
【０１１１】
（付記１０）前記第１のディスプレイの表示画面上に表示されているアイコンまたはウィンドウを、前記第２画面表示内容が表示されている表示領域内に移動させ、当該表示領域内における移動先を決定する操作は、ドラッグ・アンド・ドロップ操作であることを特徴とする付記１〜９のいずれか一つに記載の表示制御プログラム。
【０１１２】
（付記１１）前記第２のディスプレイは、複数接続されていることを特徴とする付記１〜１０のいずれか一つに記載の表示制御プログラム。
【０１１３】
（付記１２）第１のディスプレイと、当該第１のディスプレイの表示内容とは異なる内容を表示することが可能な第２のディスプレイとが、有線または無線によって接続されたコンピュータが、
前記第１のディスプレイの表示画面上に、前記第２のディスプレイの表示画面に表示されている第２画面表示内容を表示し、
前記第１のディスプレイの表示画面上に表示されているアイコンまたはウィンドウを、前記第２画面表示内容が表示されている表示領域内に移動させ、当該表示領域内における移動先を決定する操作指示を受け付け、
前記操作指示がなされたアイコンまたはウィンドウを、前記第２のディスプレイの表示画面に表示する、
処理を実行することを特徴とする表示制御方法。
【０１１４】
（付記１３）第１のディスプレイと、当該第１のディスプレイの表示内容とは異なる内容を表示することが可能な第２のディスプレイとが、有線または無線によって接続された表示制御装置であって、
前記第１のディスプレイの表示画面上に、前記第２のディスプレイの表示画面に表示されている第２画面表示内容を表示し、
前記第１のディスプレイの表示画面上に表示されているアイコンまたはウィンドウを、前記第２画面表示内容が表示されている表示領域内に移動させ、当該表示領域内における移動先を決定する操作指示を受け付け、
前記操作指示がなされたアイコンまたはウィンドウを、前記第２のディスプレイの表示画面に表示する、
制御部を有することを特徴とする表示制御装置。
【符号の説明】
【０１１５】
１０１  第１ディスプレイ（メインディスプレイ）
１０２ａ、１０２ｂ  第２ディスプレイ（サブディスプレイ）
３０１  情報処理装置
３００  ネットワーク
５０１  第１ディスプレイ表示制御部
５０２  第２ディスプレイ表示制御部
５０３  操作指示受付部
７００  マウスカーソル
７０１、７０２、７０３  アイコン
７０４  ウィンドウ
９００、１３００、１６００  第２画面表示内容（スクリーンショット）
９０３、１３１１、１３１２、１３１３、１６１１〜１６１３  アイコン画像
９０４、１３１４、１６１４  ウィンドウ画像
１６０３  スクロールバー
【図１】
2019020595.tif 000003
【図２】
2019020595.tif 000004
【図３】
2019020595.tif 000005
【図４】
2019020595.tif 000006
【図５】
2019020595.tif 000007
【図６】
2019020595.tif 000008
【図７Ａ】
2019020595.tif 000009
【図７Ｂ】
2019020595.tif 000010
【図８】
2019020595.tif 000011
【図９】
2019020595.tif 000012
【図１０】
2019020595.tif 000013
【図１１Ａ】
2019020595.tif 000014
【図１１Ｂ】
2019020595.tif 000015
【図１２】
2019020595.tif 000016
【図１３】
2019020595.tif 000017
【図１４】
2019020595.tif 000018
【図１５】
2019020595.tif 000019
【図１６】
2019020595.tif 000020
【図１７】
2019020595.tif 000021
【図１８】
2019020595.tif 000022